(57)【特許請求の範囲】
【請求項１】
高解像度の画像が間欠的に記録された、ランダムアクセス可能な第１の記録媒体と、前記高解像度の画像に対応する低解像度の画像が記録された第２の記録媒体とを対象に再生を行う再生装置であって、
前記第２の記録媒体に記録された前記低解像度の画像を再生して出力する再生手段と、
前記低解像度の画像の再生の一時停止を指令するときに操作される操作手段と、
前記操作手段が操作されることにより、前記一時停止が指令されたときに再生されていた前記低解像度の画像に対して時間的に最も近い、時間的に先行する前記高解像度の画像と、時間的に後行する前記高解像度の画像との２つの画像を、前記第１の記録媒体から読み出し、時間的に先行または後行する前記高解像度の２つの画像を用いて、前記一時停止が指令されたときに再生されていた前記低解像度の画像に時間的に一致する前記高解像度の画像を生成し、前記低解像度の画像に替えて出力する読み出し手段と
を備えることを特徴とする再生装置。
【請求項２】
前記第１または第２の記録媒体は、同一のものである
ことを特徴とする請求項１に記載の再生装置。
【請求項３】
前記第１または第２の記録媒体が着脱可能になされている
ことを特徴とする請求項１に記載の再生装置。
【請求項４】
前記再生手段または読み出し手段がそれぞれ出力する前記低解像度の画像または前記高解像度の画像を表示する表示手段をさらに備える
ことを特徴とする請求項１に記載の再生装置。
【請求項５】
前記表示手段に表示される前記低解像度の画像が、前記一時停止の指令に応じて、前記高解像度の画像に徐々に切り換えられる
ことを特徴とする請求項４に記載の再生装置。
【請求項６】
高解像度の画像が間欠的に記録された、ランダムアクセス可能な第１の記録媒体と、前記高解像度の画像に対応する低解像度の画像が記録された第２の記録媒体とを対象に再生を行う再生方法であって、
前記第２の記録媒体に記録された前記低解像度の画像を再生して出力している場合に、その再生の一時停止が指令されたとき、
前記一時停止が指令されたときに再生されていた前記低解像度の画像に対して時間的に最も近い、時間的に先行する前記高解像度の画像と、時間的に後行する前記高解像度の画像との２つの画像を、前記第１の記録媒体から読み出し、時間的に先行または後行する前記高解像度の２つの画像を用いて、前記一時停止が指令されたときに再生されていた前記低解像度の画像に時間的に一致する前記高解像度の画像を生成し、前記低解像度の画像に替えて出力することを特徴とする再生方法。
【請求項７】
画像の記録再生を行う記録再生装置であって、
高解像度の画像を、ランダムアクセス可能な第１の記録媒体に間欠的に記録する第１の記録手段と、
前記高解像度の画像に対応する低解像度の画像を、第２の記録媒体に記録する第２の記録手段と、
前記第２の記録媒体に記録された前記低解像度の画像を再生して出力する再生手段と、
前記低解像度の画像の再生の一時停止を指令するときに操作される操作手段と、
前記操作手段が操作されることにより、前記一時停止が指令されたときに再生されていた前記低解像度の画像に対して時間的に最も近い、時間的に先行する前記高解像度の画像と、時間的に後行する前記高解像度の画像との２つの画像を、前記第１の記録媒体から読み出し、時間的に先行または後行する前記高解像度の２つの画像を用いて、前記一時停止が指令されたときに再生されていた前記低解像度の画像に時間的に一致する前記高解像度の画像を生成し、前記低解像度の画像に替えて出力する読み出し手段と
を備えることを特徴とする記録再生装置。
【請求項８】
前記高解像度の画像の画素数を少なくすることにより、前記低解像度の画像を生成する生成手段をさらに備える
ことを特徴とする請求項７に記載の記録再生装置。
【請求項９】
前記第１の記録手段は、前記高解像度の画像を、固定の時間間隔で記録することを特徴とする請求項７に記載の記録再生装置。
【請求項１０】
前記第１の記録手段が前記高解像度の画像を間欠的に記録するときの時間間隔を設定する設定手段をさらに備える
ことを特徴とする請求項７に記載の記録再生装置。
【請求項１１】
前記設定手段は、前記高解像度の画像の動きを検出し、その動きに基づいて、前記時間間隔を設定する
ことを特徴とする請求項１０に記載の記録再生装置。
【請求項１２】
前記第１または第２の記録媒体は、同一のものである
ことを特徴とする請求項７に記載の記録再生装置。
【請求項１３】
前記第１または第２の記録媒体が着脱可能になされている
ことを特徴とする請求項７に記載の記録再生装置。
【請求項１４】
前記再生手段または読み出し手段がそれぞれ出力する前記低解像度の画像または前記高解像度の画像を表示する表示手段をさらに備える
ことを特徴とする請求項７に記載の記録再生装置。
【請求項１５】
前記表示手段に表示される前記低解像度の画像が、前記一時停止の指令に応じて、前記高解像度の画像に徐々に切り換えられる
ことを特徴とする請求項１４に記載の記録再生装置。
【請求項１６】
画像の記録再生を行う記録再生方法であって、
高解像度の画像を、ランダムアクセス可能な第１の記録媒体に間欠的に記録するとともに、前記高解像度の画像に対応する低解像度の画像を、第２の記録媒体に記録する一方、
前記第２の記録媒体に記録された前記低解像度の画像を再生して出力している場合に、その再生の一時停止が指令されたとき、
前記一時停止が指令されたときに再生されていた前記低解像度の画像に対して時間的に最も近い、時間的に先行する前記高解像度の画像と、時間的に後行する前記高解像度の画像との２つの画像を、前記第１の記録媒体から読み出し、時間的に先行または後行する前記高解像度の２つの画像を用いて、前記一時停止が指令されたときに再生されていた前記低解像度の画像に時間的に一致する前記高解像度の画像を生成し、前記低解像度の画像に替えて出力する
ことを特徴とする記録再生方法。
【発明の詳細な説明】
【０００１】
【発明の属する技術分野】
本発明は、再生装置および再生方法、並びに記録再生装置および記録再生方法に関し、特に動画の再生を一時停止した場合に、画質の良い静止画を表示することができるようにする再生装置および再生方法、並びに記録再生装置および記録再生方法に関する。
【０００２】
【従来の技術】
図１０は、テレビジョン放送信号の記録再生を行う、従来のＡＶ（Audio/Visual）システム（システムとは、複数の装置が論理的に集合した物をいい、各構成の装置が同一筐体中にあるか否かは問わない）の一例の構成を示している。
【０００３】
ＶＴＲ（Video Tape Recorder）５１では、その内蔵するチューナ（図示せず）によってテレビジョン放送信号が受信され、ビデオテープ５２に記録されるようになされており、このようにしてビデオテープ５２に記録されたテレビジョン放送信号は、ＶＴＲ５１により再生し、テレビジョン受像機その他のモニタ４に表示することによって視聴することができる。
【０００４】
即ち、例えば、ビデオテープ５２に記録されたテレビジョン放送信号が、標準解像度または低解像度の画像（後述するＨＤ（High Definition）画像に対して低解像度の画像）（以下、適宜、ＳＤ（Standard Definition）画像という）であるとすると、その通常再生時には、図１０（Ａ）に示すように、動画としてのＳＤ画像が、モニタ４に表示される。
【０００５】
【発明が解決しようとする課題】
ところで、ＶＴＲ５１において、ビデオテープ５２の再生中に、一時停止が指令された場合、モニタ４には、図１０（Ｂ）に示すように、その一時停止が指令されたときに再生されていたＳＤ画像の静止画が表示される。この場合、ＳＤ画像がインタレース走査されるものであるとき、モニタ４に表示される静止画としてのＳＤ画像の走査線数は、通常再生時において表示される動画としてのＳＤ画像の走査線数の１／２になる。即ち、一時停止時に表示される静止画の解像度（ここでは、垂直解像度）は、通常再生時に表示される動画の解像度の１／２になる。
【０００６】
一方、同一の解像度の動画と静止画に関しては、人間は、一般に、動画よりも静止画の画質の方が悪く感じる。これは、動画には動きがあるため、いわば、その動きによって、画質のごまかしがきくこと等に起因する。従って、ビデオテープ５２に記録されている画像がノンインタレース走査されるもの（いわゆるプログレッシブ画像）である場合には、ＶＴＲ５１が、通常再生時および一時停止時のいずれの状態にあるときでも、解像度は変わらないが、一時停止時に表示される静止画の方が、通常再生時に表示される動画よりも、画質が悪く感じる。
【０００７】
さらに、このように、動画と同一の解像度の静止画であっても、画質が悪く感じるのにもかかわらず、ビデオテープ５２に記録されている画像がインタレース走査されるものである場合には、ＶＴＲ５１を一時停止の状態にしたときに、動画の１／２の解像度の静止画が表示される。従って、この場合、ユーザは、さらなる画質の劣化を感じることになる。
【０００８】
本発明は、このような状況に鑑みてなされたものであり、再生を一時停止した場合に、画質の良い静止画を表示することができるようにするものである。
【０００９】
【課題を解決するための手段】
請求項１に記載の再生装置は、第２の記録媒体に記録された低解像度の画像を再生して出力する再生手段と、低解像度の画像の再生の一時停止を指令するときに操作される操作手段と、操作手段が操作されることにより、一時停止が指令されたときに再生されていた低解像度の画像に対して時間的に最も近い、時間的に先行する高解像度の画像と、時間的に後行する高解像度の画像との２つの画像を、第１の記録媒体から読み出し、時間的に先行または後行する高解像度の２つの画像を用いて、一時停止が指令されたときに再生されていた低解像度の画像に時間的に一致する高解像度の画像を生成し、低解像度の画像に替えて出力する読み出し手段とを備えることを特徴とする。
【００１２】
請求項６に記載の再生方法は、第２の記録媒体に記録された低解像度の画像を再生して出力している場合に、その再生の一時停止が指令されたとき、一時停止が指令されたときに再生されていた低解像度の画像に対して時間的に最も近い、時間的に先行する高解像度の画像と、時間的に後行する高解像度の画像との２つの画像を、第１の記録媒体から読み出し、時間的に先行または後行する高解像度の２つの画像を用いて、一時停止が指令されたときに再生されていた低解像度の画像に時間的に一致する高解像度の画像を生成し、低解像度の画像に替えて出力することを特徴とする。
【００１４】
請求項７に記載の記録再生装置は、高解像度の画像を、ランダムアクセス可能な第１の記録媒体に間欠的に記録する第１の記録手段と、高解像度の画像に対応する低解像度の画像を、第２の記録媒体に記録する第２の記録手段と、第２の記録媒体に記録された低解像度の画像を再生して出力する再生手段と、低解像度の画像の再生の一時停止を指令するときに操作される操作手段と、操作手段が操作されることにより、一時停止が指令されたときに再生されていた低解像度の画像に対して時間的に最も近い、時間的に先行する高解像度の画像と、時間的に後行する高解像度の画像との２つの画像を、第１の記録媒体から読み出し、時間的に先行または後行する高解像度の２つの画像を用いて、一時停止が指令されたときに再生されていた低解像度の画像に時間的に一致する高解像度の画像を生成し、低解像度の画像に替えて出力する読み出し手段とを備えることを特徴とする。
【００１５】
請求項１６に記載の記録再生方法は、高解像度の画像を、ランダムアクセス可能な第１の記録媒体に間欠的に記録するとともに、高解像度の画像に対応する低解像度の画像を、第２の記録媒体に記録する一方、第２の記録媒体に記録された低解像度の画像を再生して出力している場合に、その再生の一時停止が指令されたとき、一時停止が指令されたときに再生されていた低解像度の画像に対して時間的に最も近い、時間的に先行する高解像度の画像と、時間的に後行する高解像度の画像との２つの画像を、第１の記録媒体から読み出し、時間的に先行または後行する高解像度の２つの画像を用いて、一時停止が指令されたときに再生されていた低解像度の画像に時間的に一致する高解像度の画像を生成し、低解像度の画像に替えて出力することを特徴とする。
【００１８】
請求項１に記載の再生装置においては、再生手段は、第２の記録媒体に記録された低解像度の画像を再生して出力し、操作手段は、低解像度の画像の再生の一時停止を指令するときに操作されるようになされている。読み出し手段は、操作手段が操作されることにより、一時停止が指令されたときに再生されていた低解像度の画像に対して時間的に最も近い、時間的に先行する高解像度の画像と、時間的に後行する高解像度の画像との２つの画像を、第１の記録媒体から読み出し、時間的に先行または後行する高解像度の２つの画像を用いて、一時停止が指令されたときに再生されていた低解像度の画像に時間的に一致する高解像度の画像を生成し、低解像度の画像に替えて出力するようになされている。
【００１９】
請求項６に記載の再生方法においては、第２の記録媒体に記録された低解像度の画像を再生して出力している場合に、その再生の一時停止が指令されたとき、一時停止が指令されたときに再生されていた低解像度の画像に対して時間的に最も近い、時間的に先行する高解像度の画像と、時間的に後行する高解像度の画像との２つの画像を、第１の記録媒体から読み出し、時間的に先行または後行する高解像度の２つの画像を用いて、一時停止が指令されたときに再生されていた低解像度の画像に時間的に一致する高解像度の画像を生成し、低解像度の画像に替えて出力するようになされている。
【００２１】
請求項７に記載の記録再生装置においては、第１の記録手段は、高解像度の画像を、ランダムアクセス可能な第１の記録媒体に間欠的に記録し、第２の記録手段は、高解像度の画像に対応する低解像度の画像を、第２の記録媒体に記録するようになされている。再生手段は、第２の記録媒体に記録された低解像度の画像を再生して出力し、操作手段は、低解像度の画像の再生の一時停止を指令するときに操作されるようになされている。読み出し手段は、操作手段が操作されることにより、一時停止が指令されたときに再生されていた低解像度の画像に対して時間的に最も近い、時間的に先行する高解像度の画像と、時間的に後行する高解像度の画像との２つの画像を、第１の記録媒体から読み出し、時間的に先行または後行する高解像度の２つの画像を用いて、一時停止が指令されたときに再生されていた低解像度の画像に時間的に一致する高解像度の画像を生成し、低解像度の画像に替えて出力するようになされている。
【００２２】
請求項１６に記載の記録再生方法においては、高解像度の画像を、ランダムアクセス可能な第１の記録媒体に間欠的に記録するとともに、高解像度の画像に対応する低解像度の画像を、第２の記録媒体に記録する一方、第２の記録媒体に記録された低解像度の画像を再生して出力している場合に、その再生の一時停止が指令されたとき、一時停止が指令されたときに再生されていた低解像度の画像に対して時間的に最も近い、時間的に先行する高解像度の画像と、時間的に後行する高解像度の画像との２つの画像を、第１の記録媒体から読み出し、時間的に先行または後行する高解像度の２つの画像を用いて、一時停止が指令されたときに再生されていた低解像度の画像に時間的に一致する高解像度の画像を生成し、低解像度の画像に替えて出力するようになされている。
【００２３】
【発明の実施の形態】
以下に、本発明の実施の形態を説明するが、その前に、特許請求の範囲に記載の発明の各手段と以下の実施の形態との対応関係を明らかにするために、各手段の後の括弧内に、対応する実施の形態（但し、一例）を付加して、本発明の特徴を記述すると、次のようになる。
【００２７】
即ち、請求項１に記載の再生装置は、高解像度の画像が間欠的に記録された、ランダムアクセス可能な第１の記録媒体と、高解像度の画像に対応する低解像度の画像が記録された第２の記録媒体とを対象に再生を行う再生装置であって、第２の記録媒体に記録された低解像度の画像を再生して出力する再生手段（例えば、図６に示すプログラムの処理ステップＳ３１など）と、低解像度の画像の再生の一時停止を指令するときに操作される操作手段（例えば、図２に示す操作部８など）と、操作手段が操作されることにより、一時停止が指令されたときに再生されていた低解像度の画像に対して時間的に最も近い、時間的に先行する高解像度の画像と、時間的に後行する高解像度の画像との２つの画像を、第１の記録媒体から読み出し、時間的に先行または後行する高解像度の２つの画像を用いて、一時停止が指令されたときに再生されていた低解像度の画像に時間的に一致する高解像度の画像を生成し、低解像度の画像に替えて出力する読み出し手段（例えば、図６に示すプログラムの処理ステップＳ３５など）とを備えることを特徴とする。
【００２９】
請求項４に記載の再生装置は、再生手段または読み出し手段がそれぞれ出力する低解像度の画像または高解像度の画像を表示する表示手段（例えば、図１に示すモニタ４など）をさらに備えることを特徴とする。
【００３０】
請求項７に記載の記録再生装置は、画像の記録再生を行う記録再生装置であって、高解像度の画像を、ランダムアクセス可能な第１の記録媒体に間欠的に記録する第１の記録手段（例えば、図３に示すプログラムの処理ステップＳ２など）と、高解像度の画像に対応する低解像度の画像を、第２の記録媒体に記録する第２の記録手段（例えば、図３に示すプログラムの処理ステップＳ４など）と、第２の記録媒体に記録された低解像度の画像を再生して出力する再生手段（例えば、図６に示すプログラムの処理ステップＳ３１など）と、低解像度の画像の再生の一時停止を指令するときに操作される操作手段（例えば、図２に示す操作部８など）と、操作手段が操作されることにより、一時停止が指令されたときに再生されていた低解像度の画像に対して時間的に最も近い、時間的に先行する前記高解像度の画像と、時間的に後行する前記高解像度の画像との２つの画像を、前記第１の記録媒体から読み出し、時間的に先行または後行する前記高解像度の２つの画像を用いて、前記一時停止が指令されたときに再生されていた前記低解像度の画像に時間的に一致する前記高解像度の画像を生成し、低解像度の画像に替えて出力する読み出し手段（例えば、図６に示すプログラムの処理ステップＳ３５など）とを備えることを特徴とする。
【００３１】
請求項８に記載の記録再生装置は、高解像度の画像の画素数を少なくすることにより、低解像度の画像を生成する生成手段（例えば、図３に示すプログラムの処理ステップＳ３など）をさらに備えることを特徴とする。
【００３２】
請求項１０に記載の記録再生装置は、第１の記録手段が高解像度の画像を間欠的に記録するときの時間間隔を設定する設定手段（例えば、図５に示すプログラムの処理ステップＳ２１乃至Ｓ２５など）をさらに備えることを特徴とする。
【００３４】
請求項１４に記載の記録再生装置は、再生手段または読み出し手段がそれぞれ出力する低解像度の画像または高解像度の画像を表示する表示手段（例えば、図１に示すモニタ４など）をさらに備えることを特徴とする。
【００３５】
なお、勿論この記載は、各手段を上記したものに限定することを意味するものではない。
【００３６】
図１は、本発明を適用したＡＶシステムの一実施の形態の概要を示している。なお、図中、図１０における場合と対応する部分については、同一の符号を付してある。即ち、図１のＡＶシステムは、テープ２およびディスク３に対する記録再生を行う統合蓄積システム１が、ＶＴＲ５１に替えて設けられている他は、図１０のＡＶシステムと同様に構成されている。
【００３７】
統合蓄積システム１は、記録時には、テープ２（第２の記録媒体）とディスク３（第１の記録媒体）の両方に対して、画像を記録（蓄積）し、再生時には、テープ２またはディスク３のうちの必要な方から画像を再生し（読み出し）、例えば、ＣＲＴ（Cathode Ray Tube）や液晶ディスプレイなどでなるモニタ４に供給して表示させるようになされている。
【００３８】
即ち、画像の記録時においては、統合蓄積システム１は、ＳＤ画像をテープ２に記録するとともに、そのＳＤ画像と同一内容の高画質の画像（ＳＤ画像に対して高解像度の画像）（以下、適宜、ＨＤ画像という）をディスク３に記録する。
【００３９】
そして、画像の再生時においては、統合蓄積システム１は、通常再生が指令されている間は、図１（Ａ）に示すように、テープ２からＳＤ画像を再生し、モニタ４に供給して表示させる。従って、通常再生時においては、モニタ４に表示される画像の画質は、前述の図１０における場合と同一である。
【００４０】
その後、統合蓄積システム１に対して、一時停止が指令されると、統合蓄積システム１は、図１（Ｂ）に示すように、その一時停止が指令されたときに再生されていたＳＤ画像に対応するＨＤ画像（そのＳＤ画像と時間的に一致するＨＤ画像）を、ディスク３から読み出し、ＳＤ画像に替えて、モニタ４に供給する。即ち、ＳＤ画像が記録されているテープ２は、例えば、ビデオテープなどのテープ状の記録媒体で、ランダムアクセスすることができないが、ＨＤ画像が記録されているディスク３は、例えば、光ディスク、光磁気ディスク、磁気ディスク、相変化ディスクなどのディスク状の記録媒体で、ランダムアクセスすることが可能であり、統合蓄積システム１は、一時停止が指令されると、ディスク３に対してランダムアクセスすることで、一時停止が指令されたときに再生されていたＳＤ画像に対応するＨＤ画像を即座に読み出し、モニタ４に供給する。これにより、一時停止時においては、モニタ４には、静止画として、ＨＤ画像が表示される。従って、一時停止時においては、高解像度のＨＤ画像、即ち、前述の図１０における場合よりも画質の良い画像が表示される。
【００４１】
そして、一時停止が解除されると、統合蓄積システム１は、再び、図１（Ａ）に示すように、テープ２を対象に、一時停止が指令されたときに再生されていたＳＤ画像からの再生を開始し、モニタ４に供給する。
【００４２】
次に、図２は、統合蓄積システム１の第１の構成例を示している。
【００４３】
記録制御部５は、ＳＤ画像またはＨＤ画像を、それぞれテープ２またはディスク３に記録するための制御を行うようになされている。即ち、記録制御部５は、受信部６から供給される画像に対し、必要に応じて所定の処理を施し、ヘッド９に供給して、テープ２またはディスク３に記録させるようになされている。
【００４４】
受信部６は、ビデオライブラリ１１から供給される画像を受信するようになされている。即ち、ビデオライブラリ１１は、例えば、ハードディスクや、光ディスク、光磁気ディスク、半導体メモリ、磁気テープなどでなり、そこには、少なくともＨＤ画像が記録されている。そして、ビデオライブラリ１１からは、有線または無線の通信回線を介して、そこに記録されているＨＤ画像が送信されてくるようになされており、受信部６では、ビデオライブラリ１１から送信されてくるＨＤ画像が受信されるようになされている。
【００４５】
即ち、ビデオライブラリ１１は、例えば、遠隔地にあるビデオサーバや、テレビジョン放送局、あるいは、家庭内においてあるＶＴＲなどとすることができる。ビデオライブラリ１１が、ビデオサーバやテレビジョン放送局である場合には、受信部６は、そのビデオサーバやテレビジョン放送局から、例えば、インターネットや、衛星回線、地上波、ＣＡＴＶ（Cable Television）網などを介して送信されてくるＨＤ画像を受信する。また、ビデオライブラリ１１が、家庭内にあるＶＴＲである場合には、受信部６は、そのＶＴＲから、例えば、機器の接続用のケーブルなどを介して送信されてくるＨＤ画像を受信する。そして、受信部６は、ビデオライブラリ１１から受信したＨＤ画像を、記録制御部５に供給するようになされている。
【００４６】
再生制御部７は、ヘッド９によるテープ２およびディスク３からの画像の再生を制御し、さらに、ヘッド９が、テープ２またはディスク３から再生した画像に対して、必要な処理を施して、モニタ４に供給するようになされている。
【００４７】
操作部８は、記録制御部５に対して、記録を行わせるためのコマンドや、再生制御部７に対して、通常再生や一時停止を行わせるためのコマンドを入力するときに操作されるようになされている。操作部８は、統合蓄積システム１の操作パネルとして設けても良いし、リモートコマンダの操作ボタンとして設けることもできる。また、操作部８は、マウスやペンなどで構成しても良い。
【００４８】
ヘッド９は、テープ２およびディスク３に対して、記録制御部５から供給される画像を記録し、また、テープ２およびディスク３に記録された画像を再生し（読み出し）、再生制御部７に供給するようになされている。即ち、ヘッド９は、テープ２が、例えば、ビデオテープである場合には、そのビデオテープに対してデータの読み書きが可能な磁気ヘッドで構成される。また、ヘッド９は、ディスク３が、例えば、磁気ディスクである場合には、その磁気ディスクに対してデータの読み書きが可能な磁気ヘッドで構成される。さらに、ヘッド９は、ディスク３が、例えば、光ディスクや、光磁気ディスク、相変化ディスクである場合には、それぞれに対してデータの読み書きが可能な工学的ピックアップで構成される。
【００４９】
なお、記録制御部５および再生制御部７は、それ専用のハードウェアで実現することも可能であるし、ＣＰＵ（Central Processing Unit）などに、以下説明する処理を行うためのコンピュータプログラムを実行させることによって実現することも可能である。
【００５０】
以上のように構成される統合蓄積システム１では、ビデオライブラリ１１から供給される画像を記録する記録処理や、その記録処理によって記録された画像を再生する再生処理などが行われるようになされている。
【００５１】
そこで、まず、図３のフローチャートを参照して、統合蓄積システム１が行う記録処理について説明する。
【００５２】
記録処理は、例えば、操作部８が記録を行うように操作されることで行われる。
【００５３】
即ち、この場合、ビデオライブラリ１１から、そこに記録されているＨＤ画像が送信されてくると、ステップＳ１において、受信部６は、そのＨＤ画像を受信し、記録制御部５に供給する。記録制御部５は、受信部６からＨＤ画像を受信すると、ステップＳ２において、そのＨＤ画像を、ディスク２に記録するためのＨＤ画像記録処理を行い、これにより、ＨＤ画像を、ヘッド９を介して、ディスク３に記録する。さらに、記録制御部５は、ステップＳ３において、受信部５からのＨＤ画像を、その画素数を間引く等して少なくし、ＳＤ画像に変換する（ＳＤ画像を生成する）。そして、記録制御部５は、ステップＳ４において、そのＳＤ画像を、ヘッド９に供給し、これにより、テープ２に記録させる。なお、ビデオライブラリ１１から供給されるＨＤ画像には、例えば、タイムコードその他のＨＤ画像の画面（フレームまたはフィールド）の位置（動画としての連続するＨＤ画像の画面の時間的な位置）を特定するための位置情報が付加されており、テープ２には、ＳＤ画像とともに、そのタイムコードも記録される。
【００５４】
その後、ステップＳ５に進み、ビデオライブラリ１１から供給される動画としての一連のＨＤ画像が終了したかどうかが判定される。ステップＳ５において、ＨＤ画像が終了していないと判定された場合、次の画面のＨＤ画像が、ビデオライブラリ１１から送信されてくるのを待って、ステップＳ１に戻る。
【００５５】
また、ステップＳ５において、ＨＤ画像が終了したと判定された場合、記録処理を終了する。
【００５６】
なお、図３においては、説明の都合上、ステップＳ２において、ＨＤ画像が記録されてから、ステップＳ３において、ＨＤ画像をＳＤ画像に変換し、ステップＳ４において、そのＳＤ画像を記録するようにしたが、ＨＤ画像の記録（ステップＳ２の処理）と、ＨＤ画像の、ＳＤ画像への変換およびその記録（ステップＳ３およびＳ４の処理）とは、並列に行うことが可能である。
【００５７】
また、上述の場合においては、ビデオライブラリ１１から送信されてくるＨＤ画像をＳＤ画像に変換して、テープ２に記録するようにしたが、ビデオライブラリ１１には、ＨＤ画像の他、それと同一内容のＳＤ画像を記憶させておき、ＨＤ画像とともに、それに対応するＳＤ画像を多重化等して送信させるようにすることも可能である。この場合、テープ２には、ＨＤ画像とともに送信されてくるＳＤ画像を記録すれば良く、従って、ステップＳ３において、ＨＤ画像をＳＤ画像に変換する必要はない。即ち、この場合、ステップＳ３の処理は、省略することができる。また、ビデオライブラリ１１には、ＳＤ画像またはＨＤ画像のいずれか一方を先に送信させ、その送信の終了後に、他方を送信させるようにすることも可能である。この場合、統合蓄積システム１では、そのような順番で送信されてくるＳＤ画像およびＨＤ画像が、順次、記録される。
【００５８】
次に、図３のステップＳ２におけるＨＤ画像記録処理では、上述したように、ビデオライブラリ１１から送信されてくるＨＤ画像が、ディスク３に記録されるが、ＨＤ画像は、ＳＤ画像に比較して解像度が高いものであるため、その画素数が多く、従って、そのデータ量も多いから、そのすべてを記録する場合には、ディスク３として、テープ２よりも大容量のものが必要となる。
【００５９】
そこで、ＨＤ画像記録処理では、ＨＤ画像を、所定の時間間隔で、即ち、何画面かに１画面の割合で、いわば間欠的に、ディスク３に記録するようにすることができる。
【００６０】
図４のフローチャートは、ＨＤ画像を間欠的に記録する場合のＨＤ画像記録処理の詳細を示している。
【００６１】
この場合、まず最初に、ステップＳ１１において、記録制御部５は、受信部６から今回受信したＨＤ画像が、前回記録したＨＤ画像から、所定の記録間隔時間以上後のものであるかどうかを判定する。なお、この判定は、例えば、今回受信したＨＤ画像と前回記録したＨＤ画像に付加されているタイムコードどうしを比較することで行われる。
【００６２】
ステップＳ１１において、今回受信したＨＤ画像が、前回記録したＨＤ画像から、所定の記録間隔時間以上後のものでないと判定された場合、即ち、今回受信したＨＤ画像が、前回記録したＨＤ画像から、所定の記録間隔時間が経過するよりも前のものである場合、ステップＳ１２をスキップしてリターンする。従って、この場合、今回受信したＨＤ画像は、ディスク３に記録されない。
【００６３】
一方、ステップＳ１１において、今回受信したＨＤ画像が、前回記録したＨＤ画像から、所定の記録間隔時間以上後のものであると判定された場合、ステップＳ１２に進み、今回受信したＨＤ画像が、そのタイムコードとともに、ディスク３に記録され、リターンする。
【００６４】
従って、この場合、ディスク３に対して、ＨＤ画像は間欠的に記録されるので、即ち、所定の記録間隔時間ごとに記録されるので、ディスク３として、それほど容量の多いものを使用せずに済むようになる。
【００６５】
ところで、上述のように、ＨＤ画像を間欠的に記録する場合において、所定の記録間隔時間は、例えば、１秒などといったように固定の値とすることもできるが、可変の値とすることも可能である。記録間隔時間を可変の値とする場合においては、記録制御部５において、例えば、次のような記録間隔時間設定処理が行われることにより、記録間隔時間が設定される。
【００６６】
即ち、図５のフローチャートは、記録間隔時間設定処理の詳細を示している。
【００６７】
記録間隔時間設定処理では、まず最初に、ステップＳ２１において、受信部６から今回受信したＨＤ画像の動き量が、例えば、前回受信したＨＤ画像との差分や、オプティカルフローなどを用いて検出される。なお、ステップＳ２１で求める動き量は、いわゆる動きベクトルそのものである必要はなく、今回受信したＨＤ画像の動きを反映した物理量であれば良い。
【００６８】
動き量の検出後は、ステップＳ２２に進み、その動き量が、第１の閾値ε1より大であるかどうかが判定される。ステップＳ２２において、動き量が、第１の閾値ε1より大であると判定された場合、即ち、ＨＤ画像の動きが激しい場合、ステップＳ２３に進み、記録間隔時間が、所定量だけ小さく設定され、次に受信部６からＨＤ画像が供給されるのを待って、ステップＳ２１に戻る。
【００６９】
また、ステップＳ２２において、動き量が、第１の閾値ε1より大でないと判定された場合、ステップＳ２４に進み、動き量が、第１の閾値ε1よりも小さい第２の閾値ε2より小であるかどうかが判定される。ステップＳ２４において、動き量が、第２の閾値ε2より小であると判定された場合、即ち、ＨＤ画像の動きがほとんどない場合、ステップＳ２５に進み、記録間隔時間が、所定量だけ大きく設定され、次に受信部６からＨＤ画像が供給されるのを待って、ステップＳ２１に戻る。
【００７０】
また、ステップＳ２４において、動き量が、第２の閾値ε2より小でないと判定された場合、ステップＳ２５をスキップし、次に受信部６からＨＤ画像が供給されるのを待って、ステップＳ２１に戻る。
【００７１】
以上のような記録間隔時間設定処理によれば、ＨＤ画像の動きが大になると、記録間隔時間は小さくされ、ＨＤ画像の動きが小になると、記録間隔時間は大きくされるので、ＨＤ画像は、その動きが激しい場合には、短い時間間隔で記録され、あまり動きがない場合には、長い時間間隔で記録されることになる。従って、ＨＤ画像に、あまり動きがない場合に、そのような動きのない、同じようなＨＤ画像が、ディスク３に記録され、その容量を圧迫することを防止することができる。
【００７２】
なお、記録間隔時間設定処理は、例えば、図３で説明した記録処理と並列的に行われる。
【００７３】
また、上述の場合においては、ＨＤ画像の動きに応じて、記録間隔時間を、所定量だけ増減するようにしたが、その他、記録間隔時間は、ＨＤ画像の動きに応じた値に設定するようにしても良い。
【００７４】
さらに、上述の場合においては、ＨＤ画像から、その動きを検出するようにしたが、そのＨＤ画像に対応するＳＤ画像から、その動きを検出し、それを、ＨＤ画像の動きとして用いることも可能である。ＳＤ画像は、ＨＤ画像に比較して、画素数が少なく、従って、ＳＤ画像の動きの方が、ＨＤ画像の動きに比較して、少ない演算量で求めることができる。
【００７５】
次に、図６のフローチャートを参照して、統合蓄積システム１が行う再生処理について説明する。
【００７６】
再生処理は、例えば、操作部８が再生（通常再生）を行うように操作されることで行われる。
【００７７】
即ち、この場合、ステップＳ３１において、再生制御部７は、ヘッド９を制御することにより、テープ２に記録されたＳＤ画像を再生し、モニタ４に供給して表示させる。そして、ステップＳ３２に進み、再生制御部７は、操作部８が、テープ２の一時停止を行うように操作されたかどうかを判定する。ステップＳ３２において、操作部８が一時停止を行うように操作されていないと判定された場合、ステップＳ３３に進み、再生が指令された動画としての一連のＳＤ画像の再生がすべて終了したかどうかが、再生制御部７によって判定される。ステップＳ３３において、ＳＤ画像すべての再生が、まだ終了していないと判定された場合、ステップＳ３１に戻り、ＳＤ画像の再生が続行される。また、ステップＳ３３において、ＳＤ画像の再生がすべて終了したと判定された場合、再生処理を終了する。
【００７８】
一方、ステップＳ３２において、操作部８が一時停止を行うように操作されたと判定された場合、ステップＳ３４に進み、再生制御部７は、その一時停止が指令されたときにテープ２から再生されていたＳＤ画像のタイムコードを参照する。そして、再生制御部７は、ステップＳ３５において、そのタイムコードに基づき、一時停止が指令されたときにテープ２から再生されていたＳＤ画像に対応するＨＤ画像、即ち、一時停止が指令されたときにテープ２から再生されていたＳＤ画像のタイムコードと同一のタイムコードが付加されているＨＤ画像を、ヘッド９を制御することにより、ディスク３にランダムアクセスさせることで読み出させる。さらに、再生制御部７は、ステップＳ３６において、ディスク３から読み出したＨＤ画像に対して、そのＨＤ画像をモニタ４に表示するのに必要な処理（ＨＤ画像表示処理）（例えば、アスペクト比の変換など）を施し、モニタ４に供給する。これにより、モニタ４では、動画のＳＤ画像に替えて、静止画のＨＤ画像が表示される。
【００７９】
その後、ステップＳ３７に進み、再生制御部７は、操作部８が一時停止を解除するように操作されたかどうかを判定し、そのように操作されていないと判定された場合、ステップＳ３７に戻る。従って、この場合、モニタ４には、静止画のＨＤ画像が表示し続けられる。
【００８０】
また、ステップＳ３７において、操作部８が一時停止を解除するように操作されたと判定された場合、ステップＳ３１に戻り、再生制御部７は、ヘッド９を制御することにより、一時停止が指令されたときに再生されていたＳＤ画像からのテープ２の再生を開始し、これにより、モニタ４には、静止画のＨＤ画像に替えて、動画のＳＤ画像が表示される。
【００８１】
以上のように、テープ２にＳＤ画像を記録するとともに、ランダムアクセス可能なディスク３にＨＤ画像を記録するようにしたので、再生時に、一時停止が指令されたときに再生されていたＳＤ画像に対応するＨＤ画像を、ディスク３から即座に読み出すことが可能となる。
【００８２】
さらに、再生時において、一時停止が指令されたときには、そのとき再生されていたＳＤ画像に対応するＨＤ画像をディスク３から読み出し、ＳＤ画像に替えて、モニタ３に表示するようにしたので、ユーザは、一時停止の状態であっても、高画質の画像を視聴することができる。
【００８３】
即ち、通常再生時に表示されるＳＤ画像は動画であるから、その動きにより、ユーザは、ＳＤ画像であっても、それほど画質の悪さは感じない。一方、一時停止時に表示されるＨＤ画像は静止画であり、静止画は動画に比較して画質の悪さが目立つが、その静止画として表示される画像は、解像度の高いＨＤ画像であり、ＳＤ画像に比較して画質が良い。従って、通常再生時または一時停止時それぞれにおいて、人間の視覚特性に基づいた画像の表示が行われるので、ユーザは、通常再生時および一時停止時のいずれにおいても、画質の良い画像を視聴することができる。
【００８４】
ところで、ディスク３に対して、テープ２に記録されるＳＤ画像と同一内容のＨＤ画像すべてを記録した場合には、一時停止が指令されたときにテープ２から再生されていたＳＤ画像のタイムコードと同一のタイムコードが付加されているＨＤ画像が、ディスク３に記録されているから、そのＨＤ画像を読み出すことができる。
【００８５】
しかしながら、ディスク３に対して、上述したように、ＨＤ画像を間欠的に記録した場合には、一時停止が指令されたときにテープ２から再生されていたＳＤ画像のタイムコードと同一のタイムコードが付加されているＨＤ画像が、ディスク３に記録されているとは限らず、この場合、そのようなＨＤ画像を読み出すことはできない。
【００８６】
そこで、ディスク３に対して、ＨＤ画像を間欠的に記録した場合には、再生制御部７は、ステップＳ３５において、例えば、一時停止が指令されたときにテープ２から再生されていたＳＤ画像のタイムコードに最も近いタイムコードが付加されているＨＤ画像を、ディスク３から読み出すようになされている。
【００８７】
ところで、上述したように、一時停止が指令されたときにテープ２から再生されていたＳＤ画像のタイムコードに最も近いタイムコードが付加されているＨＤ画像を、ディスク３から読み出すようにした場合であっても、例えば、記録間隔時間を１秒に固定したときには最大で０．５秒、記録間隔時間を可変にしたときにはそれよりも長い時間だけ、ＳＤ画像から離れたＨＤ画像が、ディスク３から読み出されることがある。そして、この場合、ディスク３から読み出されたＨＤ画像が、一時停止が指令されたときにテープ２から再生されていたＳＤ画像とかなり異なることがあり、このように、一時停止が指令されたときに再生されていたＳＤ画像とかなり異なるＨＤ画像がモニタ４に表示されたのでは、ユーザに違和感を感じさせることになる。
【００８８】
そこで、再生制御部７には、ステップＳ３５において、一時停止が指令されたときにテープ２から再生されていたＳＤ画像（以下、適宜、一時停止ＳＤ画像という）のタイムコードに最も近いタイムコードが付加されている、時間的に先行するＨＤ画像と、時間的に後行するＨＤ画像との２つの画像を、ディスク３から読み出させ、ステップＳ３６のＨＤ画像表示処理において、その２つの画像を用いて、一時停止ＳＤ画像のタイムコードに一致するタイムコードのＨＤ画像を生成させるようにすることができる。この場合、モニタ４に表示されるＨＤ画像が、一時停止ＳＤ画像と大きく異なるものとなることを防止することができる。
【００８９】
ここで、時間的に先行するＨＤ画像と、時間的に後行するＨＤ画像との２つの画像を用いて、一時停止ＳＤ画像のタイムコードに一致するタイムコードのＨＤ画像を生成する方法としては、例えば、一時停止ＳＤ画像と、時間的に先行するＨＤ画像、または時間的に後行するＨＤ画像それぞれとの時間的距離を、それぞれｔ1またはｔ2とするとともに、時間的に先行するＨＤ画像に対する、時間的に後行するＨＤ画像の動きベクトルを、ｖとするとき、例えば、ベクトルｖ×ｔ1／（ｔ1＋ｔ2）、またはベクトル−ｖ×ｔ2／（ｔ1＋ｔ2）それぞれにしたがって、時間的に先行するＨＤ画像、または時間的に後行するＨＤ画像を動き補償し、その動き保証の結果得られる２つのＨＤ画像の平均値を求める方法などがある。
【００９０】
なお、図２の説明においては特に言及しなかったが、テープ２およびディスク３は、統合蓄積システム１に内蔵させておくようにすることもできるし、また、統合蓄積システム１に対して、着脱可能なようにすることもできる。
【００９１】
次に、図７は、統合蓄積システム１の第２の構成例を示している。なお、図中、図２における場合と対応する部分については、同一の符号を付してある。即ち、この実施の形態においては、統合蓄積システム１は、記録制御部５および受信部６を有しておらず、従って、再生専用の装置として構成されている。
【００９２】
図７では、テープ２またはディスク３それぞれに対して、上述したようにしてＳＤ画像またはＨＤ画像が、既に記録されており、図６で説明したようにして、再生処理が行われる。
【００９３】
次に、図８は、統合蓄積システム１の第３の構成例を示している。なお、図中、図２における場合と対応する部分については、同一の符号を付してある。
【００９４】
即ち、図８の実施の形態では、テープ２およびディスク３に替えて、テープ２およびランダムアクセス可能なメモリ（半導体メモリ）２２を内蔵するメモリ付きビデオテープ２１が設けられており、さらに、メモリ２２に対して書き込みを行う書き込み部３１、およびメモリ２３からの読み出しを行う読み出し部３２が、新たに設けられている。
【００９５】
この場合、記録時においては、ＳＤ画像は、記録制御部５の制御の下、ヘッド９によって、図２における場合と同様にして、テープ２に記録される。また、ＨＤ画像は、記録制御部５の制御の下、書き込み部３１によって、図２における場合と同様にして、メモリ２２に記録（記憶）される。
【００９６】
一方、通常再生時においては、再生制御部７の制御の下、ヘッド９によって、図２における場合と同様に、テープ２に記録されたＳＤ画像が読み出される。また、一時停止が指令された場合には、再生制御部７の制御の下、読み出し部３２によって、図２における場合と同様に、メモリ２２に記録されたＨＤ画像が読み出される。
【００９７】
図８の実施の形態では、ＳＤ画像が記録されるテープ２と、ＨＤ画像が記録されるメモリ２２とが、メモリ付きビデオテープ（カセット）２１として一体化されているので、図２や図７における場合のように、ＳＤ画像が記録されるテープ２と、ＨＤ画像が記録されるディスク３とが別々に存在する場合に比較して、その管理や持ち運びなどに便利である。
【００９８】
なお、メモリ付きビデオテープ２１も、統合蓄積システム１に内蔵させておくようにすることもできるし、また、統合蓄積システム１に対して、着脱可能なようにすることもできる。
【００９９】
ここで、メモリを内蔵するビデオテープカセットは、既に存在するが、現状実現されているものは、メモリに、ビデオテープに記録されている画像のインデックスが記憶される点で、テープ２に、ＳＤ画像が記録され、メモリ２２に、そのＳＤ画像に対応するＨＤ画像が記録されるメモリ付きビデオテープ２１と異なる。なお、メモリ付きビデオテープ２１は、その内蔵するメモリ２２に、ＨＤ画像を記憶させることから、比較的大容量のものが必要となり、従って、メモリ付きビデオテープ２１は、一般的なビデオテープに比較してコスト高になるが、その製造は技術的に可能である。
【０１００】
次に、図９は、統合蓄積システム１の第４の構成例を示している。なお、図中、図２における場合と対応する部分については、同一の符号を付してある。
【０１０１】
図９の実施の形態では、テープ２およびディスク３に替えて、複数である、例えば２層の記録面を有する、例えば、ＤＶＤ（Digital Versatile Disc）などの２層ディスク４１が設けられている。即ち、２層ディスク４１は、第１の記録面４１Ａおよび第２の記録面４１Ｂを有している。そして、この第１の記録面４１Ａまたは第２の記録面４１Ｂのうちの、例えば、第１の記録面４１ＡにＳＤ画像が、第２の記録面４１ＢにＨＤ画像が、それぞれ記録されるようになされている。
【０１０２】
従って、図２の場合には、ＳＤ画像が、ランダムアクセスすることができないテープ２に記録され、ＨＤ画像が、ランダムアクセス可能なディスク３に記録されるようになされていたか、図９の場合には、ＳＤ画像およびＨＤ画像のいずれも、ランダムアクセス可能な２層ディスク４１に記録されるようになされている。その結果、図９の実施の形態では、ＳＤ画像の任意の位置を即座に再生するとともに、その再生時において、一時停止が指令された場合には、高精細な静止画を表示することが可能となる。
【０１０３】
なお、例えば、図２の実施の形態において、ビデオライブラリ１１をランダムアクセス可能な記録媒体で構成し、記録時に、ビデオライブラリ１１から統合蓄積システム１に対して、ＳＤ画像のみを提供するようにして、再生時に、一時停止が指令された場合には、ビデオライブラリ１１に、一時停止ＳＤ画像に対応するＨＤ画像の送信を要求するようにすることが可能である。この場合、ビデオライブラリ１１が、ディスク３（第１の記録媒体）として機能することになり、従って、統合蓄積システム１には、ディスク３を設けずに済むようになる。
【０１０４】
また、ディスク３が、読み書き可能なＲＡＭ（Random Access Memory）領域と、読み出しのみ可能なＲＯＭ（Read Only Memory）領域とを有する場合には、ディスク３を、そのＲＯＭ領域のみにＳＤ画像を記録して販売し、そのＳＤ画像に対応するＨＤ画像を、ビデオライブラリ１１から受信して、ＲＡＭ領域に記録するようにすることなども可能である。この場合、テープ２は不要である。
【０１０５】
さらに、上述したように、ビデオライブラリ１１からのＨＤ画像の提供を、ＳＤ画像の提供の後に行う場合には、ＨＤ画像の提供は、例えば、所定の契約料を支払ったユーザにのみ行うようにすることが可能である。
【０１０６】
また、例えば、図２の実施の形態では、テープ２にＳＤ画像を記録し、ディスク３にＨＤ画像を記録するようにしたが、テープ２を設けず、ディスク３に対して、ＳＤ画像およびＨＤ画像の両方を記録するようにすることも可能である。
【０１０７】
さらに、ＳＤ画像およびＨＤ画像の記録方式は、ディジタルおよびアナログのいずれの方式であっても良い。
【０１０８】
また、ＳＤ画像およびＨＤ画像は、そのまま記録することも可能であるし、符号化して記録することも可能である。
【０１０９】
さらに、本発明は、インタレース走査およびノンインタレース走査されるいずれの画像にも適用可能である。
【０１１０】
また、本実施の形態では、一時停止が指令された場合に、ＳＤ画像からＨＤ画像に、どのように切り換えるかは、特に言及しなかったが、例えば、いわゆるカットで切り換えることも可能であるし、キー信号を用いて、ＳＤ画像に、ＨＤ画像をブレンディングし、これにより、ＳＤ画像からＨＤ画像に、徐々に切り換えるようにすることも可能である。
【０１１１】
【発明の効果】
以上の如く、本発明の再生装置および再生方法によれば、第２の記録媒体に記録された低解像度の画像が再生されて出力されている場合に、その再生の一時停止が指令されたとき、一時停止が指令されたときに再生されていた低解像度の画像に対して時間的に最も近い、時間的に先行する高解像度の画像と、時間的に後行する高解像度の画像との２つの画像が、第１の記録媒体から読み出され、時間的に先行または後行する高解像度の２つの画像を用いて、一時停止が指令されたときに再生されていた低解像度の画像に時間的に一致する高解像度の画像が生成され、低解像度の画像に替えて出力される。従って、一時停止が指令されたときに、画質の良い静止画を表示することが可能となる。
【０１１４】
また、本発明の記録再生装置および記録再生方法によれば、高解像度の画像が、ランダムアクセス可能な第１の記録媒体に間欠的に記録され、高解像度の画像に対応する低解像度の画像が、第２の記録媒体に記録される。そして、第２の記録媒体に記録された低解像度の画像を再生して出力している場合に、その再生の一時停止が指令されたとき、一時停止が指令されたときに再生されていた低解像度の画像に対して時間的に最も近い、時間的に先行する高解像度の画像と、時間的に後行する高解像度の画像との２つの画像が、第１の記録媒体から読み出され、時間的に先行または後行する高解像度の２つの画像を用いて、一時停止が指令されたときに再生されていた低解像度の画像に時間的に一致する高解像度の画像が生成され、低解像度の画像に替えて出力される。従って、一時停止が指令されたときに、画質の良い静止画を表示することが可能となる。
【図面の簡単な説明】
【図１】本発明を適用したＡＶシステムの一実施の形態の概要を示すブロック図である。
【図２】統合蓄積システム１の第１の構成例を示すブロック図である。
【図３】統合蓄積システム１による記録処理を説明するためのフローチャートである。
【図４】図３のステップＳ２の処理の詳細を説明するためのフローチャートである。
【図５】統合蓄積システム１による記録間隔時間設定処理を説明するためのフローチャートである。
【図６】統合蓄積システム１による再生処理を説明するためのフローチャートである。
【図７】統合蓄積システム１の第２の構成例を示すブロック図である。
【図８】統合蓄積システム１の第３の構成例を示すブロック図である。
【図９】統合蓄積システム１の第４の構成例を示すブロック図である。
【図１０】従来のＡＶシステムの一例の構成を示すブロック図である。
【符号の説明】
１  統合蓄積システム，  ２  テープ，  ３  ディスク，  ４  モニタ，  ５記録制御部，  ６  受信部，  ７  再生制御部，  ８  操作部，  ９  ヘッド，  １１  ビデオライブラリ，  ２１  メモリ付きビデオテープ，  ２２  メモリ，  ３１  書き込み部，  ３２  読み出し部，  ４１  ２層ディスク，  ４１Ａ  第１の記録面，  ４１Ｂ  第２の記録面
【図１】
0003885219.tif 000002
【図２】
0003885219.tif 000003
【図３】
0003885219.tif 000004
【図４】
0003885219.tif 000005
【図５】
0003885219.tif 000006
【図６】
0003885219.tif 000007
【図７】
0003885219.tif 000008
【図８】
0003885219.tif 000009
【図９】
0003885219.tif 000010
【図１０】
0003885219.tif 000011